(57)【要約】      （修正有）【課題】携行時には分解してコンパクトな形態として持ち運びを容易とし、使用時には簡単に組み立てて点滴注射に供することができる分離組立式点滴ボトル用スタンドを提供する。【解決手段】拡縮自在な複数本の脚杆５を有する脚体２と、この脚体の中央部の支受筒７に嵌合して直立状に支持され、多数本の単位短管８がテレスコピック状に順次嵌合して伸縮自在とされた伸縮支柱３と、この伸縮支柱の上部に水平状態に取り付けられ、点滴ボトル１５を懸吊し得るハンガー杆４とで構成し、このハンガー杆の突出長さｌは脚体の脚杆の拡開時の長さＬより短く形成し、脚体２、伸縮支柱３、ハンガー杆４を分離組み立て自在としたことにある。【選択図】図１
0003119933.tif 000002
【実用新案登録請求の範囲】
【請求項１】
拡縮自在な複数本の脚杆を有する脚体と、この脚体の中央部の支受筒に嵌合して直立状に支持され、多数本の単位短管がテレスコピック状に順次嵌合して伸縮自在とされた伸縮支柱と、この伸縮支柱の上部に水平状態に取り付けられ、点滴ボトルを懸吊し得るハンガー杆とで構成され、このハンガー杆の突出長さは前記脚体の脚杆の拡開時の長さより短く形成されており、前記脚体、伸縮支柱、およびハンガー杆は分解組み立て自在とされていることを特徴とする分解組立式点滴ボトル用スタンド。
【請求項２】
前記脚体の脚杆は複数本の単位短管が入れ子式に嵌合されて伸縮自在な伸縮杆で構成されている請求項１記載の分解組立式点滴ボトル用スタンド。
【請求項３】
前記伸縮支柱および脚体の各単位短管は、小径側の単位短管の大径側の単位短管に嵌合する端部の直径方向にストッパピンが突出方向に付勢されて出没自在に設けられ、単位短管を相互に圧入したとき前記ストッパピンが大径側の単位短管により押圧されて退没して短縮され、伸長時には前記ストッパピンにより伸長状態が維持されるようになされている請求項２記載の分解組立式点滴ボトル用スタンド。
【請求項４】
前記脚体は、各脚杆の最も大径の単位短管の基端を軸支する基台の上部中央に前記伸縮支柱の最も大径の単位短管の基端を挿着して伸縮支柱を自立状態に支持する支受筒が垂直姿勢に固設されている請求項１〜３のいずれか１項記載の分解組立式点滴ボトル用スタンド。
【請求項５】
前記支受筒の側部半径方向に該支受筒に挿着される伸縮支柱を固定するための止ネジが螺挿されている請求項４記載の分解組立式点滴ボトル用スタンド。
【請求項６】
前記ハンガー杆は、長手方向両端上部に点滴ボトルの支持孔を係止して懸吊するためのフックが形成され、長手方向中央部には前記伸縮支柱の上端に外嵌して取り付けるための取着筒を有し、この取着筒の側部半径方向には伸縮支柱に固定するための止ネジが螺挿されている請求項１〜５のいずれか１項記載の分解組立式点滴ボトル用スタンド。
【請求項７】
前記ハンガーの突出長さは、前記脚体の脚杆の拡開時における投影長さの１／５以上、１／２以下の範囲とされている請求項１〜６のいずれか１項記載の分解組立式点滴ボトル用スタンド。
【請求項８】
拡縮自在な複数本の脚扞を有する脚体と、この脚体の中央部の支受筒に嵌合して直立状に支持され、多数本の単位短管が相互不回転にテレスコピック状に順次嵌合して伸縮自在とされた伸縮支柱と、前記脚体の脚扞の拡開時における長さより短く、前記伸縮支柱の上端に片持ち支持により水平状態に取り付けられて点滴ボトルを懸吊し得るハンガー扞とで構成され、前記伸縮支柱を前記脚体の支受筒に不回転に固定する固定手段と、前記ハンガー扞を前記伸縮支柱の上端に前記脚体の１本の脚扞が伸びる方向に不回転に固定する固定手段とを備えており、前記脚体、伸縮支柱、およびハンガー扞は分解組み立て自在とされていることを特徴とする分解組立式点滴ボトル用スタンド。
【請求項９】
前記伸縮支柱の固定手段およびハンガー扞の固定手段は、前記支受筒の側部半径方向に螺挿された止ネジと、前記ハンガー扞の基部に設けられ前記伸縮支柱の上端に被嵌される取着筒の側部半径方向に螺挿された止ネジと、前記伸縮支柱にその下端を前記脚体の支受筒に嵌挿したときその止ネジと整合する位置、および伸縮支柱の上端に前記ハンガー扞の取着筒を外嵌したときその止ネジと整合する位置にそれぞれ各止ネジの先端が嵌入する孔または縦溝からなる凹部とで構成され、この凹部と止ネジとの係合により不回転に固定されるようになされている請求項８記載の分解組立式点滴ボトル用スタンド。
【考案の詳細な説明】
【技術分野】
【０００１】
本考案は分解組み立て式の点滴ボトル用スタンドに関する。
【背景技術】
【０００２】
従来から病院において患者に点滴注射を行うとき、その薬液量が多いことから薬液が封入された点滴ボトルを点滴ボトル用スタンドのハンガーに懸吊支持させ、このボトルに接続されたチューブを通じ注射針に落差を利用して供給し、時間をかけて体内に注入するようになされている。これは注射に限らず、流動食品の口腔供与においても同様である。
【０００３】
上記点滴ボトル用スタンドは、病院や診療所などの施設内で用いられるものであるから、鋳造品等の金属材により３本乃至５本の脚が固定された基台に支柱が立設され、この支柱の上端がＴ字形のハンガー部に形成されていてそのハンガー部に点滴ボトルの支持孔を掛止するようになされている。この支柱は基台に固定のパイプに上部パイプを嵌挿して高さを微調整することができるようになっている。
【０００４】
そして上記点滴ボトルは相当量の薬液が封入されているのでその容積も大きく、そのためハンガー部に懸吊させたとき支柱に干渉しないようにハンガー部を長くする必要があり、したがって点滴ボトルを懸吊したとき大きなモーメントが加わることになり、そのため基台に錘を付設して使用時に万が一にも転倒することがないよう安定性を確保するようになされている。
【０００５】
一方において、近時高齢者の患者の治療や介護を家庭内で行うことの意識が高まり、医師も家庭に往診して治療を行うことが実施されつつある。
【０００６】
このように往診により治療を行う際に点滴注射を必要とすると、点滴用ベッドを備えていればよいが、そうでなければ家庭内に点滴ボトルを懸吊支持させ得るものがなく、そのため建屋の鴨居にフックを掛止してこれに点滴ボトルを引っ掛けるなどの手段をとらざるを得ず、病人を鴨居の下に寝かせなければならないという不便を強いられる。
【０００７】
さりとて病院に備えられている点滴ボトル用スタンドを往診時に持参することは、前述のようにスタンド自体の重量が嵩むばかりでなく大型であるため家庭へ持ち込むことは容易でなく、実質上不可能に近い。
【０００８】
また、地震等の災害発生時に屋外の仮設テント内や体育館内等で被災者を治療することが行われることがある。このような場合においても、点滴ボトルを懸吊支持することに不便をきたしていた。
【特許文献１】特開平１０−１１３３７８号公報
【考案の開示】
【考案が解決しようとする課題】
【０００９】
本考案はこれに鑑み、在宅医療に対応するため、また、災害発生時の治療に対応するために、点滴ボトル用スタンドを分解組み立て自在に構成し、携行時には各パーツを著しくコンパクトな形態とすることができ、往診時に患者宅への持ち運びも容易で、使用時には簡単に使用形態に組み上がって安定性よく使用することができる分解組立式点滴ボトル用スタンドを提供することを課題とする。
【課題を解決するための手段】
【００１０】
上記課題を解決する手段として本考案は、拡縮自在な複数本の脚杆を有する脚体と、この脚体の中央部の支受筒に嵌合して直立状に支持され、多数本の単位短管がテレスコピック状に順次嵌合して伸縮自在とされた伸縮支柱と、この伸縮支柱の上部に水平状態に取り付けられ、点滴ボトルを懸吊し得るハンガー杆とで構成し、このハンガー杆の突出長さを前記脚体の脚杆の拡開時の長さより短く形成するとともに前記脚体、伸縮支柱、およびハンガー杆を分解組み立て自在としたことにある。
【００１１】
前記脚体の脚杆は複数本の単位短管を入れ子式に嵌合して伸縮自在な伸縮杆で構成することが、分解したのちの形態をよりコンパクトにするうえで好ましい。
【００１２】
前記伸縮支柱および脚体の各単位短管は、小径側の単位短管の大径側の単位短管に嵌合する端部の直径方向にストッパピンを突出方向に付勢して出没自在に設け、単位短管を相互に圧入したとき前記ストッパピンが大径側の単位短管により押圧されて退没して短縮し、伸長時には前記ストッパピンにより伸長状態が維持されるようにすることが好ましい。
【００１３】
前記伸縮支柱の支持手段は、前記脚体の中央上部に伸縮支柱の最も大径の単位短管が可及的密に嵌合し得る内径の筒材からなる支受筒を固着立設し、これに伸縮支柱を挿着して直立姿勢に維持する構成とすることができる。
【００１４】
この場合、支受筒の半径方向に止ネジを螺挿し、その先端を伸縮支柱の最大径の単位短管に形成した凹溝に嵌入させることで抜け止めを図るようにすることが好ましい。
【００１５】
一方、前記ハンガー杆は、長手方向両端上部に点滴ボトルの支持孔を係止して懸吊するためのフックを形成し、長手方向中央部には前記伸縮支柱の上端に外嵌して取り付けるための取着筒を設け、この取着筒を止ネジにより伸縮支柱に固定するように構成することが好ましい。
【００１６】
前記ハンガー杆の突出長さは、前記脚体の脚杆の拡開時における投影長さの１／５以上、１／２以下の範囲内とすることが実際に使用するうえにおいて安定性がよく、好ましい形態である。
【００１７】
また、スタンド使用時の安定性をより高めるため、ハンガー扞を片持ち支持構造としてこのハンガー扞の取り付け方向を脚体の１本の脚扞が伸びる方向に一致させる構成とすることにより、重量の大きい点滴ボトルを懸吊させても転倒するおそれを全くなくすることができる。
【００１８】
この場合、伸縮支柱の各単位短管を相互不回転に摺動自在に順次嵌挿した構成とし、この伸縮支柱の脚体の支受筒への挿着位置（向き）、伸縮支柱の上端へのハンガー扞の取り付け位置（向き）をそれぞれ規定する固定手段を備える構成とされる。
【考案の効果】
【００１９】
本考案によれば、接地する脚体と、この脚体に立設される伸縮支柱と、この伸縮支柱の上端に取り付けられるハンガー杆との三者を３個のパーツとして分割することができ、特に伸縮支柱は単位短管の長さにまで短縮させることができるので、各パーツの個々は手提げカバン等のバッグ類に楽に入れることができる大きさとなり、往診時であっても容易に持参することができる。
【００２０】
患者宅に到着したのちは、脚体の脚杆を拡開し、その中央上部の支受筒に伸縮支柱を挿着するとともに所定の高さに伸長させ、その上端にハンガー杆を取り付けるだけで直ちに点滴ボトルをハンガー杆のフックに懸吊して点滴注射を行うことができるので、緊急を要する場合であっても迅速に対応することができる。
【００２１】
またハンガー杆は脚体の脚杆より短く形成されているので、重量の大きい点滴ボトルを懸吊しても転倒するおそれがなく、安定した状態で点滴注射を実施することができる。
【００２２】
特に伸縮支柱は、単位短管の長さを１単位として高さを任意に選べるので、点滴を行う場所の環境に応じ最適な高さに設定して点滴注射を行うことができる。
【００２３】
なお、伸縮支柱および脚体の脚杆をストッパピンの出没により行うようにすれば、ワンタッチで伸縮操作することができ、取り扱いを容易にすることができる利点がある。
【００２４】
本考案は、構成上前記のような諸効果を有するので、在宅医療の往診時はもとより、災害時におけるテントや仮設診療施設内での診療活動に使用するに最適な点滴ボトル用スタンドを提供することができる。
【考案を実施するための最良の形態】
【００２５】
図１は本考案による点滴ボトル用スタンドを使用している状態を、図２はその使用形態に組み立てた状態の正面図を示している。
【００２６】
上記点滴ボトル用スタンド１は、安定接地可能な脚体２と、この脚体２の中央上部に直立状に支持される伸縮支柱３と、この伸縮支柱３の上端に取り付けられるハンガー杆４との３つのパーツからなっており、これらパーツは分解組み立て自在とされている。
【００２７】
前記脚体２は、３本の脚杆５、５、５を有し、これら脚杆５は大径の単位短管５ａに小径の単位短管５ｂが入れ子状に嵌挿されて伸縮自在とされており、大径の単位短管５ａの基端が基台６にピン（図示せず）により枢支されて各脚杆５、５、５を図１〜図３のように拡開自在とされ、脚杆５、５、５を閉じ合わせたとき図４に拡大示するように１本の棒状に折り畳まれるようになっている。図中５ｃは単位短管５ａに単位短管５ｂを固定するための加締め環である。
【００２８】
前記基台６の中央上部には前記伸縮支柱３を挿着して立設するための支受筒７が固設されている。
【００２９】
上記伸縮支柱３は、多数本（図示実施形態では１０本）の単位短管８、８…がテレスコピック状に順次嵌合して伸縮自在とされており、その基部の最も太い単位短管８が前記脚体２の支受筒７内に可及的密に嵌挿される外径とされている。なお符号８ａは加締め環である。
【００３０】
そして前記支受筒７の側部にはその半径方向の止ネジ９が螺挿され、その止ネジ９の内端は支受筒７の内周から突出して前記伸縮支柱３の下端に形成された環状溝１０（図５示）に嵌入して回転は許容するも抜け止めされて取り付けられるようになっている。
【００３１】
前記脚体２の脚杆５および伸縮支柱３の各単位短管８、８は、図６に拡大断面図で例示するように、抜け止め部１１、１２により抜け出ないよう嵌合されているとともにストッパピン１３、１３により伸長状態を維持するようになされている。
【００３２】
すなわち小径側の単位短管８１の大径側の単位短管８２に嵌合する端部の直径方向に一対のストッパピン１３、１３が板バネ１４、１４により突出習性が与えられて設けられ、両短管８１、８２を短縮させたとき大径側の単位短管８２の端縁でストッパピン１３、１３が板バネ１４、１４による付勢力に抗して押し込まれ、大径側の単位短管８２内に小径側の単位短管８１が嵌入して短縮される。
【００３３】
前記ストッパピン１３、１３を退没させるに要する力は、少くとも点滴ボトル１５の重量が付加されても退没せず、それ以上の大きな力を加えたとき退没するように設定される。
【００３４】
前記ハンガー杆４は、図７（Ａ）〜（Ｃ）に示すように、長手方向両端近くに点滴ボトル１５の支持孔１５ａを掛止するフック１６、１６が形成され、長手方向中央部には前記伸縮支柱３の上端に外嵌して取り付けるための取着筒１７が設けられており、この取着筒１７の側部にはその半径方向に止ネジ１８が螺挿され、その止ネジ１８の先端は取着筒１７の内周に突出して前記伸縮支柱３の上端に形成された環状溝１９（図５示）に嵌入して回転は許容するも抜け出すことがないよう取り付けられるようになっている。
【００３５】
前記ハンガー杆４の水平方向突出長さｌは、脚体２の脚杆５の張り出し長さ（投影長さ）Ｌの１／５以上１／２以下の範囲とされる。１／５以下では点滴ボトル１５を懸吊したとき当該ボトル１５が伸縮支柱３に干渉する不具合いをもたらし、１／２以上では点滴ボトル１５の重量によってはハンガー杆４に作用する回転モーメントによりスタンド１の自立が不安定になるという不具合いをもたらすので好ましくない。
【００３６】
本考案は上記構成であるから、往診時等において持ち運ぶときは、ハンガー杆４の止ネジ１８を緩めてその先端を伸縮支柱３の上端の環状溝１９から抜き外し、次いでその取着筒１７を伸縮支柱３の上端から引き抜けばハンガー杆４を伸縮支柱３から取り外すことができる。
【００３７】
また脚体２の支受筒７の止ネジ９を緩めてその先端を伸縮支柱３の下端の環状溝１０から抜き外し、次いで伸縮支柱３を上方へ引き抜くことにより脚体２から取り外すことができる。
【００３８】
次いで伸縮支柱３を短縮方向に押圧すれば、各単位短管８、８…のストッパピン１３、１３が押入されて大径側の単位短管８２内に小径側の単位短管８１が嵌入して順次短縮され、最終的には１本の単位短管８の長さにまで短縮される（図５示）。また脚体２の脚杆５、５…についても大径側の単位短管５ａに小径側の単位短管５ｂを挿入させて閉じれば、図４（Ａ）に示すように３本の脚杆５、５、５が一つにまとまって１本の棒状となり、コンパクトな形態となる。
【００３９】
これにより伸縮支柱３、脚体２、ハンガー杆４の３つのパーツに分かれ、かつそれぞれがコンパクトな形態に変態するのでこれらを持ち運ぶ際にも嵩張ることがなく、往診時にはカバンに収納して患者宅に持ち込むことができる。
【００４０】
点滴注射を行うときは、脚体２の脚杆５、５、５を伸長させて拡開させ、次いで伸縮支柱３を所望の高さになるように引き伸ばしてその下端を脚体２の支受筒７に挿入し、止ネジ９を締め込むことによりその先端が伸縮支柱３の下端の環状溝１０内に嵌入し、これにより伸縮支柱３が抜け出し不能に取り付けられる。
【００４１】
次に伸縮支柱３の上端にハンガー杆４の取着筒１７を嵌合してその止ネジ１８を締め込むことによりその先端が伸縮支柱３の上端の環状溝１９に嵌入して抜け出し不能に取り付けられる。
【００４２】
こうすることにより点滴ボトル用スタンド１の組み立てが完了し、そのハンガー杆４のフック１６に点滴ボトル１５を懸吊支持させることにより直ちに点滴注射を行うことができる。
【００４３】
この場合、点滴ボトル１５が懸吊されるハンガー杆４の突出長さｌが脚体２の脚杆５の突出長さＬより短く形成されているので転倒することなく安定した状態で点滴注射を行うことができる。
【００４４】
図８〜図１１は請求項８、９に記載の考案の実施形態を示すもので、この形態においては、伸縮支柱３の構成が単位短管８、８…を相互不回転に順次嵌合して伸縮自在とした構成とされている。
【００４５】
前記相互不回転とする手段は、その一組を図８に拡大断面図として例示するように、単位短管８、８の軸方向にプレス加工等により形成された凹溝２０と凸条２１との嵌合により相互不回転で摺動自在な構成とされる。
【００４６】
この実施形態におけるハンガー扞４は片持ち構造とされ、その基部に取着筒１７が設けられている。
【００４７】
図９、図１０に示すように、前記伸縮支柱３の下端を脚体２の支受筒７に嵌挿したとき前記止ネジ９と対応する位置、および伸縮支柱３の上端にハンガー扞４の取着筒１７を被嵌したときその止ネジ１８と対応する位置に孔または縦溝等からなる凹部２２、２３が形成され、これら凹部２２、２３に各止ネジ９、１８の先端を係合させて締着させることによりハンガー扞４の取り付け位置（取り付け方向）が定められるようになっており、この方向が図１１に示すように脚体２の１本の脚扞５が伸びる方向（図１１に矢印Ａで示す方向）と一致するように設定されている。
【００４８】
したがってこの実施形態によれば、ハンガー扞４は必ず１本の脚扞５と平面視平行する方向に固定されるので、重量の大きい点滴ボトル１５をフック１６に懸吊させても、脚体２が転倒するおそれは全くなく、安全性が著しく高い点滴ボトル用スタンドとすることができる。
【図面の簡単な説明】
【００４９】
【図１】本考案による分解組立式点滴ボトル用スタンドを使用している状態を示す斜視図。
【図２】本考案による分解組立式点滴ボトル用スタンドの使用形態とした正面図。
【図３】同、平面図。
【図４】（Ａ）は本考案における脚体を分離して折り畳んだ状態の正面図、（Ｂ）は同平面図。
【図５】本考案における伸縮支柱を分離して短縮させた状態の正面図。
【図６】単位短管のストッパ機構の一例を示し、（Ａ）はロック時、（Ｂ）はロック解除時の各断面図。
【図７】本考案におけるハンガー杆を分離して示し、（Ａ）は正面図、（Ｂ）は平面図、（Ｃ）は下面図。
【図８】本考案の他の実施形態における伸縮支柱の一組を示す拡大断面図。
【図９】同、伸縮支柱を脚体に不回転に固定する固定手段の一例を示す要部の拡大断面図。
【図１０】同、伸縮支柱の上端にハンガー扞を方向付けして固定する固定手段の一例を示す要部の拡大断面図。
【図１１】同、脚体の脚扞に対するハンガー扞の取り付け位置（向き）を示す平面図。
【符号の説明】
【００５０】
１  本考案による分離組立式点滴ボトル用スタンド
２  脚体
３  伸縮支柱
４  ハンガー杆
５  脚杆
６  基台
７  支受筒
８（８１、８２）  伸縮支柱の単位短管
９、１８  止ネジ
１０、１９  環状溝
１１、１２  抜け止め部
１３  ストッパピン
１４  板バネ
１５  点滴ボトル
１６  フック
１７  取着筒
２０  凹溝
２１  凸条
２２、２３  凹部
【図１】
0003119933.tif 000003
【図２】
0003119933.tif 000004
【図３】
0003119933.tif 000005
【図４】
0003119933.tif 000006
【図５】
0003119933.tif 000007
【図６】
0003119933.tif 000008
【図７】
0003119933.tif 000009
【図８】
0003119933.tif 000010
【図９】
0003119933.tif 000011
【図１０】
0003119933.tif 000012
【図１１】
0003119933.tif 000013